(57)【要約】【課題】記録装置に装着していないときはロールシートを確実に保持し、記録装置に装着後はロールシートを正規位置にセット可能なロールシート保持装置を提供する。【解決手段】ロールシートを保持して記録装置に装着されるロールシート保持装置において、ロールシートを保持する保持手段と、前記保持手段による前記ロールシートを保持する保持力を変更可能な保持力可変手段とを有する。【選択図】図５
2020011809.tif 000002
【特許請求の範囲】
【請求項１】
ロールシートを保持して記録装置に装着されるロールシート保持装置において、
ロールシートを保持する保持手段と、
前記保持手段によるロールシートを保持する保持力を変更可能な保持力可変手段と、
を有し、
前記保持力可変手段は、
ロールシートの巻き芯に挿入可能な挿入部に設けられ、前記巻き芯の内壁に圧接可能な圧接部を有する第１部材と、
前記圧接部と係合可能であって、前記第１部材に対して第１位置と第２位置に移動可能な第２部材とを有し、
前記第２部材が前記第１位置にあるときは、前記第２位置にあるときよりも前記圧接部がロールシートに圧接する力が小さくなることを特徴とするロールシート保持装置。
【請求項２】
前記第２部材を前記第２位置へ付勢する付勢手段を有することを特徴とする請求項１記載のロールシート保持装置。
【請求項３】
前記第１部材は、ロールシートの一方側側面に取り付けられるフランジ部材であり、
前記フランジ部材は、前記第２部材が前記第１位置にあるときは保持しているロールシートに対して移動可能であることを特徴とする請求項１又は請求項２に記載のロールシート保持装置。
【請求項４】
ロールシートに対して記録を行う記録装置において、
請求項１乃至３のいずれか１項に記載のロールシート保持装置と、
前記ロールシート保持装置を装着するための装着部と、
ロールシートに記録を行う記録部と、
を有し、
前記装着部は、前記ロールシート保持装置の前記第２部材を前記第１位置に移動させる移動手段を有することを特徴とする記録装置。
【請求項５】
前記移動手段は、接触する前記第２部材を押圧して付勢する回転自在のローラ部材であることを特徴とする請求項４に記載の記録装置。
【発明の詳細な説明】
【技術分野】
【０００１】
本発明は、ロールシートを保持するロールシート保持装置及びこれを装着して記録を行う記録装置に関する。
【背景技術】
【０００２】
記録媒体にロールシートを使うインクジェット記録装置などでは、ロールシートを固定して保持したロールシート保持装置を記録装置に回転可能に装着し、記録に応じてロールシートを繰り出しながら記録を行うようにしたものがある。このようなロールシート保持装置に保持されたロールシートはロールシートの斜行等を防ぐために記録装置本体の基準位置に正しくセットされる必要がある。
【０００３】
そのため、従来はロールシートを保持したロールシート保持装置を記録装置に装着したときに、保持装置を基準位置に付勢する付勢手段を設け、装着されたロールシートが常に基準位置にあるようにした構成が提案されている（特許文献１）。
【先行技術文献】
【特許文献】
【０００４】
【特許文献１】特開平０９-０８６７３２
【発明の概要】
【発明が解決しようとする課題】
【０００５】
上記のようなロールシート保持装置は、記録装置に装着される前は、ユーザが持ち運ぶロールシート保持装置からロールシートが脱落しないように保持する必要がある。そのために、ロールシートの保持力を大きく設定する必要がある。
【０００６】
しかし、ロールシートが正しく保持できていない場合、ロールシートと保持装置との間に位置ずれが生じており、これを記録装置に装着して保持装置を基準位置に付勢しようとしても、ロールシート保持力を大きく設定すると、ロールシートは正規の位置にセットされ難い。この位置ずれが生じた状態で記録を実行すると、搬送されるロールシートの位置精度が確保されず、ロールシートの斜行等により印刷位置がずれてしまう。
【０００７】
また、ロールシート保持装置にはロールシートの側面をガイドするフランジ部材を有するものがあり、このフランジ部材はロールシートの側端面に当接するようにセットされる必要がある。そのためには、保持したロールシートに対してフランジ部材が移動可能とし、フランジ部材が付勢手段によって付勢されたときにロールシート側端面に当接するようにする必要がある。しかし、フランジ部材がロールシートに対して移動可能な程度にロールシート保持装置のロールシート保持力を小さく設定すると、ロールシートを保持した保持装置を記録装置から取り外して運ぶときに、ロールシートからフランジ部材が外れ、ロールシートが落下してしまう懸念が生ずる。
【０００８】
すなわち、ロールシート保持装置におけるロールシート保持力を大きく設定するとロールシートがずれていたときに正規位置（基準位置）にセットされないおそれがあり、前記保持力を小さく設定するとロールシート保持装置を記録装置から取り出して運ぶときにロールシートがロールシート保持装置から脱落するおそれがある。
【０００９】
本発明は上記相反する課題を解決するものであり、その目的は、記録装置に装着していないときはロールシートを確実に保持し、記録装置に装着後はロールシートを正規位置にセット可能なロールシート保持装置及び記録装置を提供するものである。
【課題を解決するための手段】
【００１０】
上記目的を達成するための本発明に係る代表的な構成は、ロールシートを保持して記録装置に装着されるロールシート保持装置において、ロールシートを保持する保持手段と、前記保持手段によるロールシートを保持する保持力を変更可能な保持力可変手段と、を有し、前記保持力可変手段は、ロールシートの巻き芯に挿入可能な挿入部に設けられ、前記巻き芯の内壁に圧接可能な圧接部を有する第１部材と、前記圧接部と係合可能であって、前記第１部材に対して第１位置と第２位置に移動可能な第２部材とを有し、前記第２部材が前記第１位置にあるときは、前記第２位置にあるときよりも前記圧接部がロールシートに圧接する力が小さくなることを特徴とする。
【発明の効果】
【００１１】
本発明にあっては、ロールシート保持装置を記録装置に装着されていないときはロールシートが脱落せず、記録装置に装着されるとロールシートを正規位置にセットすることが可能となる。
【図面の簡単な説明】
【００１２】
【図１】本実施形態を適用可能なインクジェット記録装置の側面図である。
【図２】図１のインクジェット記録装置の上面図である。
【図３】ロールシート保持装置を記録装置に装着する前の状態の断面図である。
【図４】ロールシート保持装置の一部分解図である。
【図５】ロールシート保持装置を記録装置に装着する前の一部拡大図である。
【図６】ロールシート保持装置を記録装置に装着した後の状態の断面図である。
【図７】ロールシート保持装置を記録装置に装着した後の一部拡大図である。
【発明を実施するための形態】
【００１３】
本発明の実施形態に係るロールシート保持装置について、これをインクジェット記録装置に装着する例について、図面を参照して説明する。
【００１４】
＜記録装置＞
本発明の実施形態に係るシートロール保持装置について、これをインクジェット記録装置に装着する例で説明する。
【００１５】
図１は説明のために外装カバー等を取り外した、本実施形態に係るインクジェット記録装置１００の側面図であり、図２は説明のために外装カバー等を取り外した、上面図である。この記録装置１００は、ロールシートＳを装着し、これを順次繰り出して記録を行うものである。ロールシートＳは、ロールシート保持装置２００に装填されて保持され、このロールシート保持装置２００がロールシート装着部２に回転可能に装着される。なお、図２に記載のロールシート保持装置２００はロールシートＳを保持していない状態を記載している。
【００１６】
装着されたロールシートＳは少量だけ繰り出されて、シート規制部３によってシート搬送方向と直交するシート幅方向がガイドされシート搬送部４によって搬送される。シート搬送部４は回転可能な無端ベルト４ａによって構成され、図示しないファンによってシートを吸引しながら無端ベルト４ａが回転することでロールシートＳを浮き上がらせることなく搬送可能となっている。
【００１７】
シート搬送部４の上方には記録部５が配置されている。この記録部５は画像信号に応じてインクを吐出するインクジェット記録部であり、インクを吐出するノズルを備えた記録ヘッド５ａと、前記記録ヘッド５ａの安定したインク吐出を維持するために記録ヘッド５ａをキャッピング可能なキャッピング部５ｂとを有している。
【００１８】
前記無端ベルト４ａに吸着されながら搬送されるロールシートＳに対し、記録部５の記録ヘッド５ａからインクを吐出して画像を形成し、そのシートＳをカッタ６でカットして排出部へと排出するものである。
【００１９】
＜ロールシート保持装置＞
次にロールシートＳを保持するロールシート保持装置２００について説明する。図３はロールシートＳを保持したロールシート保持装置２００の構成を示す断面図である。
【００２０】
ロールシート保持装置２００は、長尺のロールシートＳを巻きつけた円筒状の巻き芯１０の一方側端部をガイドするためにロール径よりも大きな円板形状のロールガイド１１にスプール軸１２が一体的に設けられており、このスプール軸１２には記録装置本体に装着したときに駆動力を受ける駆動受け部１２ａが固定されている。そして、前記スプール軸１２には第１部材であるフランジユニット１３が嵌合し、さらにフランジユニット１３には第２部材であるスライドコア１４が嵌合している。
【００２１】
フランジユニット（第１部材）１３は、図４に示すように、フランジ部材であるフランジ部１３ａと、ロールシートＳの巻き芯１０に挿入される挿入部１３ｂとが一体的に構成されている。フランジ部１３ａはロールシートのロール径よりも大きな略円板形状をしており、ロールシートＳの他方側端部に当接してこれをガイドする。挿入部１３ｂは巻き芯１０の内径よりも少し小さい外径を有し、巻き芯１０内に挿抜可能となっている。
【００２２】
前記挿入部１３ｂは、図３に示すように、巻き芯１０の内径よりも少し小さい外径の外筒部１３ｂ１と、スプール軸１２を嵌挿し得る内筒部１３ｂ２とを有する。そして、図４に示すように、外筒部１３ｂ１の外周部は一部切り欠かれて弾性変形可能な切片部１３ｃが形成されており、切片部１３ｃの先端には内径方向に突出したテーパ形状の爪部１３ｄが形成されている。
【００２３】
スライドコア（第２部材）１４は、前記フランジユニット１３の外筒部１３ｂ１に挿入して取り付けられる部材であって、前記外筒部１３ｂ１に嵌挿される挿入部１４ａの端部に前記外筒部１３ｂ１の内径よりも大きい外径を有する円板形状の端面部１４ｂを有する。前記挿入部１４ａは、図３に示すように、フランジユニット１３の外筒部１３ｂ１の内径よりも少し小さい外径の外筒部１４ａ１と、フランジユニット１３の内筒部１３ｂ２が嵌挿し得る内筒部１４ａ２とを有する。そして、図４に示すように、外筒部１４ａ１の一部が切り欠かれて切片部１４ｃが形成され、その切片部１４ｃの両側には係止爪１４ｄが設けられている。さらに切片部１４ｃの先端側には開口１４ｅが形成され、その開口端部には傾斜したテーパー部１４ｆが形成されている。
【００２４】
図４において、１５はフランジユニット１３とスライドコア１４の間に配置される圧縮コイルバネである。フランジユニット１３にスライドコア１４を組み付ける際は、前記圧縮コイルバネ１５をフランジユニット１３の内筒部１３ｂ２に嵌挿し、スライドコア１４の内筒部１４ａ２にフランジユニット１３の内筒部１３ｂ２が挿入されるようにしてスライドコア１４の外筒部１４ａ１をフランジユニット１３の外筒部１３ｂ１に挿入する。
【００２５】
スライドコア１４を、図４の矢印Ｃ方向に強く押し込むと、切片部１４ｃが撓んで係止爪１４ｄがフランジユニット１３の切片部１３ｃを挟むように挿入される。フランジユニット１３に組み付けられたスライドコア１４は、圧縮コイルバネ１５によって外方（矢印Ｃと反対方向）に付勢されるが、係止爪１４ｄがフランジ部１３ａの内壁面に係止するために脱落することはない。そして、スライドコア１４は、図４に示すように、端面部１４ｂから係止爪１４ｄまで距離Ｌ１離れている。このため、スライドコア１４は、フランジユニット１３に組み付けられた状態で、距離Ｌ１分スライドして移動可能となっている。そして、前記距離Ｌ１は、開口１４ｅとテーパー部１４ｆの距離Ｌ２よりも長くなるように構成されている。すなわち、スライドコア１４はフランジユニット１３に組み付けられた状態で、開口１４ｅとテーパー部１４ｆの距離分はスライド可能に構成されている。
【００２６】
ロールシート保持装置２００にロールシートＳを装填する場合は、ロールシートＳの巻き芯１０内にスプール軸１２を挿通してロールシートＳの一方側の面をロールガイド１１に突き当てる。次に、ロールシートＳの他方側からフランジユニット１３の挿入部１３ｂをロールシートＳの巻き芯１０に挿入するとともに、スプール軸１２を内筒部１３ｂ２に挿通する。このフランジユニット１３には前記のようにスライドコア１４が組み付けられており、このスライドコア１４を前記矢印Ｃ方向に押しながらフランジ部１３ａをロールシートＳの端面に当接させる。
【００２７】
上記のようにしてロールシートＳを装填したロールシート保持装置２００は、記録装置１００に装着される前にあってはスライドコア１４は圧縮コイルバネ１５によって図３の矢印Ａ方向（矢印Ｃと反対方向）に付勢されている。このとき、図５に示すように、フランジユニット１３の爪部１３ｄは、矢印Ａ方向に移動しようとするスライドコア１４のテーパー部１４ｆに乗り上げた位置にある（このときのスライドコア１４の位置を第２位置とする）。このため、爪部１３ｄは矢印Ｂ方向（図３参照）、すなわちフランジユニット１３の回転半径方向の外方へ向かって拡げられる。これにより、圧接部としての爪部１３ｄの外表面が巻き芯１０の内壁面に圧接する。
【００２８】
上記のように爪部１３ｄが押し拡げられことで、巻き芯１０に強く圧接するため、フランジユニット１３によるロールシートＳの保持力が大きくなり、フランジユニット１３がロールシートＳから脱落することはない。なお、前記爪部１３ｄの背面部、すなわち巻き芯１０の内壁面と圧接する面に凹凸を設ける等して巻き芯１０との摩擦力を高めるように構成することにより、前記保持力をより高めることが可能である。
【００２９】
＜記録装置のロールシート装着部＞
前記ロールシート保持装置２００を装着する記録装置のロールシート装着部２は、図６に示すように、軸受２０が設けられており、この軸受２０によってスプール軸１２の両端を支持するようにしてロールシート保持装置２００をセットする。このとき、スプール軸１２の端部に設けられた駆動受け部１２ａが記録装置本体の駆動伝達部２１と連結する。このため、記録動作時に駆動伝達部２１から駆動受け部１２ａへ回転力が伝達され、スプール軸１２を介してロールガイド１１、フランジユニット１３、スライドコア１４が一体的に回転してロールシートを送り出せるようになる。
【００３０】
また、装着部のスライドコア１４側には、前記スライドコア１４を押圧する付勢部２２が設けられている。この付勢部２２は弾性を有し、ロールシート装着部２にロールシート保持装置２００を装着したときに、スライドコア１４の端面部１４ｂに当接し、スライドコア１４を図６の矢印Ｃ方向に付勢する。なお、スライドコア１４の端面部１４ｂに当接する付勢部２２には、図７に示すように、ローラ部材２２ａが設けられており、このローラ部材２２ａが端面部１４ｂに圧接している。このため、付勢部２２によってスライドコア１４が押圧された状態でも、スライドコア１４はスムーズに回転可能である。
【００３１】
前記付勢部２２の付勢力は、前記圧縮コイルバネ１５の付勢力よりも強く設定されている。このため、前記のようにロールシート保持装置２００がロールシート装着部２に装着されると、付勢部２２によってスライドコア１４がフランジユニット１３内に押し込まれるように付勢される。このため、スライドコア１４は図７の矢印Ｃ方向にスライドし（第１位置に移動）、爪部１３ｄはスライドコア１４のテーパー部１４ｆの位置から開口１４ｅの位置へ移動するそして、爪部１３ｄが開口１４ｅに入り込むと爪部１３ｄが巻き芯１０の内壁面に圧接しなくなり、フランジユニット１３によるロールシートＳの保持力が小さくなる。これにより、スライドコア１４はフランジユニット１３に密着し、フランジ部１３ａはロールシートＳの側面に隙間なく当接し、フランジユニット１３とロールシートＳがずれることはない。フランジユニット１３とロールシートＳのずれが無くなるように付勢されるロールシートＳはロールガイド１１に当接することで基準位置に位置決めされる。
【００３２】
上記のように、本実施形態のロールシート保持装置２００にあっては、ロールシートを保持する保持手段と、前記保持手段による前記ロールシートを保持する保持力を変更可能な保持力可変手段とを有するために、ロールシートＳの着脱に際し、装着部２にセットするまではフランジユニット１３は巻き芯１０から外れにくく、かつ、装着部２にセットした際には、ロールシートＳは基準側に常に位置決めされ、さらにフランジユニット１３も隙間なくロールシートに挿入されることとなる。なお、ロールシート保持装置２００からロールシートＳを取り外す時は、ユーザがスライドコア１４を矢印Ｃ方向に指で押圧してスライドすることで爪部１３ｄが巻き芯１０の内壁面に圧接しなくなるため、フランジユニット１３をロールシートＳから容易に取り外すことが可能となる。
【符号の説明】
【００３３】
Ｓ    …ロールシート
１    …記録装置本体
２    …装着部
３    …シート規制部
４    …シート搬送部
４ａ  …無端ベルト
５    …記録部
５ａ  …記録ヘッド
５ｂ  …キャッピング部
６    …カッタ
１０  …巻き芯
１１  …ロールガイド
１２  …スプール軸
１２ａ …駆動受け部
１３  …フランジユニット
１３ａ …フランジ部
１３ｂ …挿入部
１３ｂ１ …外筒部
１３ｂ２ …内筒部
１３ｃ …切片部
１３ｄ …爪部
１４  …スライドコア
１４ａ …挿入部
１４ａ１ …外筒部
１４ａ２ …内筒部
１４ｂ …端面部
１４ｃ …切片部
１４ｄ …係止爪
１４ｅ …開口
１４ｆ …テーパー部
１５  …圧縮コイルバネ
２０  …軸受
２１  …駆動伝達部
２２  …付勢部
２２ａ …ローラ部材
１００ …記録装置
２００ …ロールシート保持装置
【図１】
2020011809.tif 000003
【図２】
2020011809.tif 000004
【図３】
2020011809.tif 000005
【図４】
2020011809.tif 000006
【図５】
2020011809.tif 000007
【図６】
2020011809.tif 000008
【図７】
2020011809.tif 000009